(57)【要約】【課題】カテーテルで使われる情報リングが開示される。【解決手段】その情報リングは第一端と第二端を有する本体を含む。その本体はその第一端とその第二端の間に延長する第一の本体面と、その第一端とその第二端の間に延長する第二の、概して凸面状の面を有する。その本体はその第一の本体面と第二の面との間にそこを通って延長する開口を有する。第一の表示部がその第一端に位置している。その第一の表示部はその第一の表示面に表示が印刷できるような大きさになっている第一の表示面を有する。
2005505354.tif 000002
【特許請求の範囲】
【請求項１】
第一端と第二端を有する本体と、ここで該本体が、
該第一端と該第二端の間に延長する第一の本体面と、
該第一端と該第二端の間に延長する第二の本体面と、を含み、該本体が該第一の本体面と該第二の本体面の間にそこを通って延長する開口を有し、
該本体の該第一端にある第一の表示部と、ここで該第一の表示部は該第一の表示面上に表示が印刷できるような大きさになっている第一の表示面を有し、
を含む情報リング。
【請求項２】
第二の表示面を有する該第二端に第二の表示部を更に含む請求項１記載の情報リング。
【請求項３】
該第二の表示部の該第二の表示面が該第二の表示面に印刷された表示を含む請求項２記載の情報リング。
【請求項４】
該第二の表示部が概して円形である請求項２記載の情報リング。
【請求項５】
該第二の表示部が概して細長い請求項２記載の情報リング。
【請求項６】
該第二の表示部が該本体と一体になっている請求項２記載の情報リング。
【請求項７】
該表示が該第一の表示面に印刷されている請求項１記載の情報リング。
【請求項８】
該第一の表示部が概して円形である請求項１記載の情報リング。
【請求項９】
該第一の表示部が概して細長い請求項１記載の情報リング。
【請求項１０】
該開口が概して円形である請求項１記載の情報リング。
【請求項１１】
該開口が概してＵ字形のチャネルである請求項１記載の情報リング。
【請求項１２】
該本体が該チャネル内に延長する第一のタブをさらに含む請求項１１記載の情報リング。
【請求項１３】
該本体が該第一のタブに向かって該チャネル内に延長する第二のタブをさらに含む請求項１２記載の情報リング。
【請求項１４】
該チャネルは開口部と対向する閉口部とを有し、該チャネルが導管が開口部内に挿入されて閉口部で保持されることのできる大きさになっている請求項１１記載の情報リング。
【請求項１５】
該第一の本体面が該して平面である請求項１記載の情報リング。
【請求項１６】
該第一の表示部が該本体と一体になっている請求項１記載の情報リング。
【請求項１７】
該本体が該第一端に近位する第一の本体部と該第二端に近位する第二の本体部とを有し、該第一の本体部が雄雌結合器のうちの一つを有し、該第二の本体部が該雄結合器と該雌結合器の他方を有し、該第一の本体部が該第二の本体部に結合されるように該雄結合器は該雌結合器に挿入できる請求項１記載の情報リング。
【請求項１８】
該雄結合器は圧入によって該雌結合器と係合する請求項１７記載の情報リング。
【請求項１９】
第一端と第二端を有する導管と、
情報リングであって、
第一端と第二端を有する本体であって、該本体が該第一端と該第二端の間に延長する第一の本体面と、該第一端と該第二端の間に延長する第二の本体面を有し、該本体が該第一の本体面と該第二の本体面の間にそこを通って延長する開口を有する本体と、
該本体の該第一端の第一の表示部で、該第一の表示部が該第一の面に表示が印刷できるような大きさになっている第一の表示面を有する第一の表示部と
を含む情報リングと、
軸に沿った第一及び第二の開口を有する導管クランプであって、該情報リングの該第一の本体面と該第二の本体面の間に延長する該開口が該導管クランプの該第一及び第二の開口の間の該軸に沿うように該情報リングが配置され、該導管が該導管クランプの該第一及び第二の開口及び該軸に沿った該情報リングの該第一の本体面と該第二の本体面の間に延長するチャネル開口を通って延長する導管クランプと、
を含む導管アセンブリ。
【請求項２０】
該導管が該導管の該第一端に固定して結合された第一のフィッティングと該導管の該第二端に固定して結合された第二のフィッティングを更に含む請求項１９記載の導管アセンブリ。
【請求項２１】
該情報リングが該導管から第一及び第二のフィッティングのいずれをも取りはずさずに該情報リングの該第一の本体面と該第二の本体面の間に延長する該開口から導管を取りはずせるように構成されている請求項２０記載の導管アセンブリ。
【請求項２２】
表示が該表示面に印刷されている請求項１９記載の導管アセンブリ。
【請求項２３】
該情報リングの該本体の該第二端に提供された第二の表示面を有する第二の表示部を更に含む請求項１９記載の導管アセンブリ。
【請求項２４】
該第二の表示部の該第二の表示面が表示が該第二の表示面に印刷できるような大きさになっている請求項２３記載の導管アセンブリ。
【請求項２５】
該第二の表示部が概して円形である請求項２３記載の導管アセンブリ。
【請求項２６】
該第二の表示部が概して細長い請求項２３記載の導管アセンブリ。
【請求項２７】
該第二の表示部が本体と一体になっている請求項２３記載の導管アセンブリ。
【請求項２８】
該第一の表示部が概して円形である請求項１９記載の導管アセンブリ。
【請求項２９】
該第一の表示部が概して細長い請求項１９記載の導管アセンブリ。
【請求項３０】
該本体が該情報リングの該第一の本体面と該第二の本体面の間に延長する該開口内に延長する第一のタブを更に含む請求項１９記載の導管アセンブリ。
【請求項３１】
該本体が該情報リングの該第一の本体面と該第二の本体面の間に延長する該開口内に該第一のタブに向かって延長する第二のタブを更に含む請求項３０記載の導管アセンブリ。
【請求項３２】
該情報リングの該第一の本体面と該第二の本体面の間に延長する該開口が開口部と対向する閉口部とを有する概してＵ字形のチャネルであり、該情報リングの該第一の本体面と該第二の本体面の間に延長する該開口が導管が該開口部内に挿入されて該閉口部に保持されることができるような大きさになっている請求項１９記載の導管アセンブリ。
【請求項３３】
該第一の本体面が概して平面である請求項１９記載の導管アセンブリ。
【請求項３４】
該第一の表示部が該本体と一体になっている請求項１９記載の導管アセンブリ。
【請求項３５】
情報リングをカテーテルアセンブリ上に挿入する方法であって、
導管アセンブリを提供する工程であって、導管アセンブリは、
第一端と第二端を有する導管であって、第一のフィッティングが該第一端に結合され第二のフィッティングが該第二端に結合される導管と、
該情報リングを該導管上に解放可能に保持するようになっている導管クランプであって、該導管が該導管クランプの開口内に配置される導管クランプと、
を含む導管アセンブリを提供する工程と、
情報リングを提供する工程であって、情報リングは、
第一端と第二端を有する本体であって、該本体が該第一端と該第二端の間に延長する第一の本体面と、該第一端と該第二端の間に延長する第二の本体面を有し、該本体が該第一の本体面と該第二の本体面の間にそこを通って延長する開口を有する本体と、
該情報リングの該本体の該第一端から延長する第一面を有する第一の表示部であって、該第一の表示部が表示が該第一面上に印刷できるような大きさになっている第一の表示部と、
を含む情報リングを提供する工程と、
該導管が該情報リングの該第一の本体面と該第二の本体面の間の該開口内に配置され、該導管クランプが該情報リングを該導管上で解放可能に保持するように該情報リングを該導管アセンブリ内に取り付ける工程と、
を含む方法。
【請求項３６】
第一の結合端と第一の自由端を有する第一の部分であって、該第一の結合端が雄結合器又は雌結合器の内の少なくとも一つを含み、該自由端が表示をその上に印刷できるような大きさになっている第一面を有する第一の部分と、
第二の結合端と第二の自由端を有する第二の部分であって、該第二の結合端が嵌合する雄結合器又は嵌合する雌結合器の内の少なくとも他方を有し、該第二の自由端が第二面を有する第二の部分と、を含み、
該少なくとも一つの雄結合器又は雌結合器が該少なくとも一つの嵌合する雄結合器又は嵌合する雌結合器と係合する時、カテーテルの導管が該開口内に嵌入するような大きさになっている概して円形の開口が該リングに形成されるカテーテル情報リング。
【請求項３７】
該第一面がその上に表示を有する請求項３６記載のカテーテル情報リング。
【請求項３８】
該第二面がその上に表示を有する請求項３６記載のカテーテル情報リング。
【請求項３９】
該雄結合器又は該雌結合器の内少なくとも一つは該嵌合する雄結合器又は該嵌合する雌結合器の他方と圧入によって係合する請求項３６記載のカテーテル情報リング。
【請求項４０】
該第一の部分は周期的に該第二の部分から取り外し可能で結合可能である請求項３６記載のカテーテル情報リング。
【発明の詳細な説明】
【０００１】
関連米国出願への相互参照
本発明は２００１年１０月５日出願の米国仮特許出願通し番号６０／３２７，５１４号からの優先権を主張する。
【０００２】
【従来の技術】
液体の導入又は除去のためのカテーテルは、そのような液体の導入又は除去のために体中の種々の静脈位置及び空洞内に配置できる。このようなカテーテル導入は複数のルーメンを有する単一のカテーテルを使って実施できる。多ルーメンカテーテルの典型的な例は２ルーメンカテーテルで、第一のルーメンが液体を導入し、第二のルーメンが液体を除去する。これらのカテーテルは血液透析のような処置に非常に有用で、そのような処置において血液が第一のルーメンを通って患者から除去され血液透析器内で処理され、その処理された血液が第二のルーメンを通って患者に戻される。あるいは、それぞれが単一のルーメンを有する複数のカテーテルをその患者の複数の位置、例えば各大腿静脈に挿入してもよい。
【０００３】
カテーテルは、その使用状況によって、異なる大きさ及び異なる物質で製造される。例えば、小さな患者には小さなカテーテルを使うし、そのカテーテルが数時間から数日のように短い期間患者の中に挿入されることになるのか、又は数週間から数ヶ月のように長い期間になるのかによって異なる物質を使うことができる。
【０００４】
カテーテルには、典型的にその延長管上に印刷された、大きさ、準備量、及びカテーテルを患者に挿入する部分の周りで使用することを推奨される、また禁忌される洗浄液等の生体情報を提供する表示がある。例えば、洗浄液の中にはいくつかのカテーテルを構成するポリウレタン物質を実際に溶かすものもある。使用者がこのような洗浄液を使用しないように警告する文による情報がその延長管上に置かれる。
【０００５】
【発明が解決しようとする課題】
延長管上に印刷されている情報は意図されるカテーテルの使用法によって変えることができる。しかし、この方法の一つの欠点は、延長管が管状であり、典型的に半透明なので、文の大きさ及び明瞭さに限度があることである。また、延長管上の文は時が経つにつれて擦り取られてしまう可能性がある。さらに、準備量のような情報が延長管上のように、カテーテル上に印刷されていることがある。もし、ルアーを除去して新しい代わりのルアーを延長管上に取り付ける必要があるような修理が必要な場合、その延長管はそのルアー置換の結果として短縮されているので、その準備量は変わってしまっている。このような置換の後に正しい準備量を示すことのできる取り替えられる部品がカテーテルに付いていれば、望ましい。
【０００６】
また、カテーテル上に、使用者が容易に読めてまたカテーテルの耐用期間に磨耗して消えてしまわない重要な情報が印刷できるような表面があれば、望ましい。また、カテーテルから取り外すことのできる情報リングを提供し、カテーテルの他の部分を分解する必要なく新しい情報リングをカテーテルに取り付けられば、有益である。
【０００７】
【課題を解決するための手段】
本発明は情報リングを提供する。その情報リングは第一端と第二端を有する本体を含む。本体は第一端と第二端の間に延長する第一の本体面と、第一端と第二端の間に延長する第二の、概して凸状の面とを有する。本体は、第一の本体面と第二の面との間にそれを通って延長する開口を有する。第一の表示部は第一端に位置している。第一の表示部は、表示が第一の表示面上に印刷できるような大きさになっている第一の表示面を有する。
【０００８】
本発明はまた導管アセンブリを提供する。導管アセンブリは第一端と第二端を有する導管と情報リングを含む。情報リングは第一端と第二端を有する本体を含む。本体は第一端と第二端の間に延長する第一の本体面と、第二の、第一端と第二端の間に延長する概して凸状の面を有する。本体は第一の本体面と第二の面の間にそこを通って延長する開口を有する。第一の表示部は第一端に位置している。第一の表示部は、表示がその第一の表示面上に印刷できるような大きさになっている第一の表示面を有する。アセンブリはまた軸に沿って第一及び第二の開口を有する導管クランプを含む。情報リングはそのチャネル（通路）が第一及び第二の開口の間の軸に沿うように配置される。導管は第一及び第二の開口及び軸に沿ったチャネルを通って延長する。
【０００９】
また、本発明は情報リングをカテーテルアセンブリに挿入する方法を提供する。この方法は、第一端と第二端を有する導管を含む導管アセンブリを提供することを含む。第一のフィッティング（付属器具）は第一端に結合され、第二のフィッティングは第二端に結合される。アセンブリはまたその導管の上にその情報リングを解放可能に保持するようになっている導管クランプも含む。導管は導管クランプの開口内に配置される。この方法はまた第一端と第二端を有する本体を含む情報リングを提供することも含む。本体は第一端と第二端の間に延長する第一の本体面と、第二の、第一端と第二端の間に延長する概して凸状の面を有する。本体はまたその第一の本体面と第二の面の間にそこを通って延長する開口、及び第一端から延長する第一面を有する第一の表示部も有する。第一の表示部は、表示が第一の表示面上に印刷できるような大きさになっている。この方法はまた、導管が開口内に配置され、導管クランプが情報リングを導管の上に解放可能に保持するように、情報リングを導管アセンブリ内に取り付けることを含む。
【００１０】
また、本発明はカテーテル情報リングを提供する。このリングは第一の結合端と第一の自由端を有する第一の部分を含む。第一の結合端は雄結合器と雌結合器の内少なくとも一つを含み、また第一の自由端は第一の表示面を有する。リングはまた第二の結合端と第二の自由端を有する第二の部分を含む。第二の結合端は少なくとも嵌合する雄結合器及び嵌合する雌結合器の他方を有する。第二の自由端は第二の面を有する。前述の雄結合器と雌結合器の内の少なくとも一つが前述の嵌合する雄結合器と雌結合器の内の少なくとも一つに係合すると、概して円形の開口が、カテーテルの導管がその開口内にぴったり入る大きさになるように、リング内に形成される。
【００１１】
【発明の実施の形態】
前述の概略及び後述の本発明の好ましい実施形態の詳細な説明は添付した図面を参照して読むことによってより良く理解される。本発明を説明する目的のために、現在好ましい実施例を図面に示す。しかし、本発明はここに示される特定の構成及び手段に限定されないことを理解する必要がある。図面において、いくつかの図を通して同一の要素を示すために同一の参照番号が使われている。図面において：
【００１２】
全ての図面において、同様の数字は同様の要素を示す。特定の用語はここで便利さのためにのみ使われており、本発明を制限するものととるべきではない。「右」「左」「外側に」「内側に」という単語は図面の中で参照する方向を示す。「近位の」及び「遠位の」という単語はそれぞれ本発明に従って説明されるカテーテルアセンブリ内のカテーテルの挿入先端から離れた及びより近い方向を意味する。用語には上に特に説明された単語、その派生語、及び同様の意味の単語が含まれる。次に本発明の好ましい実施例を説明する。しかし、本発明はここに説明する好ましい実施例によって制限されるものではないことをこの開示に基づいて理解する必要がある。
【００１３】
《実施例１》
本発明によるカテーテルと共に使う情報リング１１０の第一実施例を図１及び図２に示す。情報リング１１０は第一端１１４と第二端１１６を有する本体１１２を含む。概して平面の第一面１１８は第一端１１４と第二端１１６の間に延長している。第二面１２０は、概して丸みを帯びていることが好ましく、第一端１１４と第二端１１６の間に延長している。概して円形の開口１２２が第一面１１８と第二面１２０の間で本体１１２を通って延長している。本体１１２の第一端１１４に位置する概して細長い第一の表示部１２４はその上に識別表示が印刷された表示面１２８を含む。図１からわかるように、第一の表示部１２４は第一面１１８から概して直交して延長しているが、当業者はその第一の表示部１２４がその第一面１１８から直交以外の方向に延長することもできることに気づくであろう。第二の表示部１３０は本体１１２の第二端１１６に位置し、その上に識別表示が印刷された表示面１３２を含む。第二の表示部１３０は、図２に示すように概して円形であることが好ましいが、その第二の表示部１３０は、例えば第一の表示部１２４と同様に概して細長い形のように、他の形であっても良い。
【００１４】
図１及び図２の表示面１２８、１３２にそれぞれ示される表示は任意の方向で、また任意の曲面に沿って印刷されてよい。また、その表示は準備量のような情報でもよいし、及び／又はその情報リング１１０が取り付けられる装置の使用に関するサイトケアの警告であってもよい。また、表示はカテーテルの中味に関する警告やカテーテルに関連する他の一般的情報を含むこともある。提供される表示の種類は例としてのためだけのものであり、制限的なものと意味されてはいない。このような情報及び／又はサイトケア警告は文字、数字、記号、色、テクスチャー等の形で与えられる。典型的に、表示は使用者がその情報リング１１０上に印刷された表示を簡単に読めるように十分に大きな文字サイズで印刷されている。
【００１５】
情報リング１１０は導管アセンブリ１５０の一部であり、それは、例えば、図３に示すようにカテーテルアセンブリの一部である。導管アセンブリ１５０は情報リング１１０、カテーテル延長管のような導管１６０、及び導管クランプ１７０からなる。導管アセンブリ１５０は、典型的に、カテーテル、経静脈（ＩＶ）溶液、ハイフロー血液投薬セット、洗浄／泌尿器科製品、医薬品、液体投薬システム、チェンバミクシングバッグ、フォーミュレータシステム（処方（調製）システム）、注入システム、インターベンショナル製品（介在製品）、放射線科で使う液体採集システム、及び他の製品及び使用法を含むがこれらに限られない医療目的に使われる。
【００１６】
導管１６０は典型的にカテーテル延長管であって、カテーテルの近位端に位置している。カテーテルアセンブリが、患者から液体を除去するためのものと液体を患者に返すためのものの二つの別々の導管１６０を含むＡＳＨ  ＳＰＬＩＴＣＡＴＨ（登録商標）カテーテルのような公知のカテーテルでは、それぞれの導管１６０にそれ自体の情報リング１１０が提供されることが好ましい。説明を平明にするために、ここでは一つの情報リング１１０を有する一つの導管１６０だけを説明する。
【００１７】
図３Ａ及び図３Ｂに示すように、導管１６０は第一の、又は近位の端１６２と第二の、又は遠位の端１６４を有する。典型的に、第一端１６２は図示のようにルアーのような結合装置１６６に結合されている。第二端１６４は典型的に図示のようにハブ１６８に結合されている。また図３Ａ及び図３Ｂに示すように、導管クランプ１７０はその技術で公知のクランプである。導管クランプ１７０は二つの概して細長い開口１７２、１７４を有し、それらを通って導管１６０が延長し、導管クランプ１７０が導管１６０上に保持される。また、導管１６０は、導管クランプ１７０の開口１７２、１７４間で情報リング１１０の開口１２２を通り抜ける。
【００１８】
情報リング１１０を導管１６０から除去するために、導管１６０は切削等によって切断される。導管１６０は典型的に結合装置１６６に近位で切断され、導管１６０はクランプ１７０の第一の開口１７２及び情報リング１１０の開口１２２を通って引っ張られ、情報リング１１０が導管アセンブリ１５０から取り外せるようになる。そして、導管を新しい情報リング１１０の開口１２２及びクランプ１７０の第一の開口１７２を通って押し込み、新しい情報リング１１０を提供する。そして新しい結合装置１６６を導管１６０に、情報リング１１０とクランプ１７０を結合装置６６とハブ１６８の間で導管１６０に配置固定して取り付ける。
【００１９】
《実施例２》
次に詳細を述べる本発明の情報リングの第二から第四実施例では、同様の又は類似した要素は類似した三桁の番号で識別され、これらの三桁番号の下二桁が第二実施例２１０の同様の又は類似した要素と同じ又は対応する。第二実施例では第一桁が「２」、第三実施例では第一桁が「３」、及び第四実施例では第一桁が「４」となる。
【００２０】
本発明の情報リング２１０の第二実施例を図４及び図５に示す。情報リング２１０は第一端２１４と第二端２１６を有する本体２１２を含む。第一面２１８が第一端２１４と第二端２１６の間に延長している。第一面２１８は概して平面であることが好ましいが、当業者は第一面２１８が平面以外の面でも良いことに気づくであろう。概して丸みを帯びた第二面２２０が第一端２１４と第二端２１６の間に延長している。概してＵ字形のチャネル２２２が第一面２１８と第二面２２０の間で本体２１２を通って延長している。チャネル２２２は開口部２２２ａと、開口部２２２ａと対向する概して半円形の閉口部２２２ｂを有する。第一の表示部２２４は本体２１２の第一端２１４に位置しており、識別表示が印刷された表示面２２８を含む。第一表示部２２４は本体２１２の第一端２１４に結合する第一端２３０を有し、その第一端２３０は本体２１２の概して丸みを帯びた第二面２２０を補足するように丸みを帯びていることが好ましい。第一の表示部２２４はまた本体２１２から離れて延長し、好ましくは細長い形をしている第二の自由端２３２を有するが、当業者はこの自由端２３２がどのような形であっても良いことに気づくであろう。図４及び図５に示すように、第一の表示部２２４は概して本体２１２から大体直交して配置されているが、当業者は第一の表示部２２４が本体２１２に相対的に他の角度で配置されてもよいことに気づくであろう。
【００２１】
第二の表示部２３４は本体２１２の第二端２１６に位置し、識別表示が印刷された表示面２３６を含む。図４及び図５に示すように、第二の表示部２３４は第二面２２０の半径よりも少し大きい半径を有することが好ましい。しかし、当業者は第二の表示部２３４の半径が第二面２２０の半径と同じ又はより小さくても良いことに気づくであろう。
【００２２】
図４及び図５の表示面２２８、２３９にそれぞれ示される表示は任意の方向に又は任意の曲面に沿って印刷される。また、その表示は準備量のような情報でもよいし、及び／又はその情報リング２１０が取り付けられる装置の使用に関するサイトケアの警告であってもよい。また、表示はカテーテルの中味に関する警告やカテーテルに関連する他の一般的情報であってもよい。提供される表示の種類は例としてのためだけのものであり、制限的なものと意味されてはいない。このような情報及び／又はサイトケア警告は文字、数字、記号、色、テクスチャー等の形で与えられる。典型的に、表示は使用者がその情報リング２１０上に印刷された表示を簡単に読めるように十分に大きな文字サイズで印刷されている。
【００２３】
《実施例３》
本発明の情報リング３１０の第三実施例を図６及び図７に示す。この情報リング３１０は上述の情報リング２１０と似ているが、チャネル３２２の開口部３２２ａを一部超えて本体３１２から相互に向かって延長する一対のタブ３４０、３４２を有する。二つのタブ３４０が図示されているが、当業者は一つのタブ３４０の使用だけが必要であることに気づくであろう。
【００２４】
《実施例４》
本発明の情報リング４１０の第四実施例を図８及び図９に示す。この情報リング４１０は上述の情報リング２１０と似ているが、本体４１２の第二端４１６に位置し、典型的に識別表示が印刷されている表示面４３６を含む第二の表示部４３４を有する。図９に示すように、第二の表示部４３４は第一の表示部４２４と同じ概して細長い形であることが好ましい。
【００２５】
上述の第二実施例から第四実施例のいずれかの情報リング２１０、３１０、４１０を使うカテーテルアセンブリ５００を図１０及び図１１に示す。説明を平明にするためにカテーテルアセンブリ５００に関連して情報リング２１０のみを説明するが、当業者は情報リング３１０，４１０のいずれの実施例もカテーテルアセンブリ５００において同様に使われ得ることに気づくであろう。
【００２６】
図１０及び図１１に示すように、カテーテルアセンブリ５００は典型的には概して円形の管で近位端５６２と遠位端５６４の間で液体が流れることのできる導管５６０を含む。この導管５６０は典型的にカテーテルの近位端に位置する延長管である。ルアーのような結合装置５６６が典型的に近位端５６２に結合され、ハブ５６８が典型的に遠位端５６４に結合される。
【００２７】
情報リング２１０は、導管５６０がチャネル１２２内に配置されるように、導管５６０の上に配置される。当業者には公知の導管クランプ５７０もまた導管５６０の上に配置され、情報リング２１０を導管５６０上に解放可能に保持する。情報リング２１０は概して導管クランプ５７０内にぴったり入るような大きさになっている。情報リング２１０と導管クランプ５７０は第一端５６２と第二端５６４の間で導管５６０に沿って自由に並進することができる。
【００２８】
図１０及び図１１において、導管クランプ５７０は開口位置で示されている。導管クランプ５７０は、第一端５７２と第二端５７４を有する概して細長い基部５７１を含む。第一端５７２は、そこを通って延長する概して細長い第一の開口５７８を有する第一の屈曲部５７６を含む。第一の屈曲部５７６の自由端５８０はロッキングタング５８２を含む。第二端５７４は、そこを通って延長する概して細長い第二の開口５８６を有する第二の屈曲部５８４を含む。第一の開口５７８と第二の開口５８６を通って延長するラインがクランプ軸５８８を形成する。第二の屈曲部５８４の自由端５９０は概して細長いロッキングタブ５９２を含む。
【００２９】
第一のクランプ部材５９４が第一の開口５７８と第二の開口５８６の間で基部５７１からクランプ軸５８８に向かって延長する。第二のクランプ部材５９６はロッキングタブ５９２からクランプ軸５８８に向かって延長する。第一のクランプ部材５９４と第二のクランプ部材５９６は、第一のクランプ部材５９４と第二のクランプ部材５９６が相互に向かって片寄らせる（押し付けられる）時、それぞれのクランプ部材５９４，５９６が、導管５６０と係合し、液体が導管５６０を通って流れなくなるように導管５６０を締め付けるように、概して相互にずらして置かれている。ロッキングタブ５９２がクランプ軸５８８に向かって片寄らせられた（押し付けられた）時、ロッキングタブ５９２はロッキングタング５８２と係合し、クランプ５７０を固定してクランプ部材５９４，５９６によって導管５６０を締め付けて閉じる。
【００３０】
また図１０及び図１１において、導管５６０は第一の開口５７８と第二の開口５８６を通って導管クランプ５７０内をクランプ軸５８８に沿って延長する。情報リング２１０は、導管５６０が情報リング２１０のチャネル２２２を通って延長し、情報リング２１０が第一の開口５７８と第二の開口５８６の間になるように配置される。本体２１２は、本体２１２の丸みを帯びた第二面２２０が第二の屈曲部５８４にゆるく係合可能なように、これにより概して丸みを帯びた第二面２２０が第二の屈曲部５８４内に入り込むように配置される。クランプ５９４、５９６は第一面２１８とゆるく係合し、情報リング２１０が導管５６０に沿ってロッキングタング５８２に向かって軸的移動をして、クランプ５９４，５９６の導管５６０との係合と干渉してしまう可能性を防止する。
【００３１】
情報リング２１０は、最初は情報リング２１０を含まない導管アセンブリ５００上に挿入することができる。あるいは、本発明の第一の情報リング２１０を導管アセンブリ５００から、導管５６０からルアーロック５６６やハブ５６８をはずさずに取り外し、その取り外された第一の情報リング２１０の代わりに第二の情報リング２１０を導管アセンブリ内に取り付けても良い。次の処理は第一の情報リング２１０を取り除いて第二の情報リング２１０をその代わりに取り付ける方法のみを説明するが、当業者は情報リング２１０を取り付けるだけの方法は除去及び置換の方法の後半の工程に本来含まれることに気づくであろう。
【００３２】
導管アセンブリ５００を掴み、第一と第二の開口５７８，５８６の間の導管５６０がクランプ軸５８８から離れて引っ張られるように、導管５６０を導管クランプ５７０の少なくとも一つの開口５７８，５８６を通して導管クランプ５７０の他方の開口５８６，５７８に向かって引く。導管５６０を引き出すために十分な余地を与えるためにロッキングタブ５９２をロッキングタング５８２から離れて片寄らせる必要があるかも知れない。導管アセンブリ５００がカテーテルアセンブリの場合は、その導管５６０は柔らかく柔軟な物質で、導管５６０を簡単に曲げることができる。導管５６０を導管クランプ５７０の基部５７１から十分に曲げて離して、情報リング２１０が導管クランプ５７０から取り外せるようにする。導管５６０をチャネル２２２を通してチャンネル２２２の開口端２２２ａから引き出すことによって、導管５６０を情報リング２１０から側方に取り外す。
【００３３】
そして新しい情報リング２１０を導管５６０と基部５７１の間の空間内に挿入する。導管５６０はチャネル２２２の開口端２２２ａ内に配置され、チャンネル２２２の閉口端２２２ｂに保持される。本体２１２の第二面２１８は導管クランプ５７０の第二の屈曲部５８４に保持される。そして導管を第一及び第二の開口５７８，５８６の内の少なくとも一つを通って進ませ、導管６０がクランプ軸５８８に沿って両方の開口５７８及び５８６を通って導管クランプ５７０内に延長するようにする。導管クランプは情報リング２１０を導管５６０上に解放可能に保持している。
【００３４】
当業者は情報リング３１０，４１０の第三及び第四の実施例の操作及び使用法が上述の情報リング２１０の第二実施例の操作及び使用法と同様であることに気づくであろう。
【００３５】
《実施例５》
本発明の情報リング６００の第五実施例を図１２、図１２Ａ、及び図１３に示す。この情報リング６００は好ましくは解放可能に相互に係合してそこを通って延長する概して円形の開口を有するリングを形成する二つの別々な部材からなる。
【００３６】
情報リング６００は結合端６０４と自由端６０６とを有する第一の結合部６０２と、結合端６１０と自由端６１２とを有する第二の結合部６０８とからなる。第一の結合部６０２の結合端６０４は図１２Ａに詳細が示されるように、それぞれタブ又はスロットのような雄結合器６１４又は雌結合器６１６の内の少なくとも一つを有することが好ましい。第二の結合部６０８の結合端６１０は少なくとも一つの他方の雄結合器６１４又は雌結合器６１６を有し、第一の結合部６０２と第二の結合部６０８を結合した時に、雄結合器６１４が雌結合器６１６と係合して第一の結合部６０２と第二の結合部６０８を解放可能に結合固定することが好ましい。図１２、図１２Ａ、及び図１３に示すように、第一の結合部６０２は雄結合器６１４を含み、第二の結合部６０８は雌結合器６１６を含むが、当業者は他の組み合わせを使用することもできることに気づくであろう。
【００３７】
図１２Ａに示すように、雄結合器６１４はピラミッド形又はピラミッド型台形のような先細りの多角形であってもよい。雄結合器６１４と雌結合器６２６によって、情報リング６００が上述のカテーテルアセンブリ５００のようなカテーテルアセンブリから取り除かれ、またその、又は別のカテーテルアセンブリで再使用されるように、第一の結合部６０２と第二の結合部６０８が周期的に分離され相互に取り外されるようになる。
【００３８】
あるいは、図示を省くが、雄結合器６１４は円錐形、円錐台形、又は雌結合器と圧入により嵌合できるような任意の他の形のような、他の形であってもよい。しかし、当業者は第一の結合部６０２と第二の結合部６０８を結合する他の方法も使うことができることに気づくであろう。例えば、第一の結合部６０２と第二の結合部６０８はパチッと嵌る係合でインターロックする雄雌結合器（図示を省く）を有してもよく、例えば、その場合、雄結合器が一旦雌結合器内に挿入されると、第一の結合部を第二の結合部から分離する唯一の方法は第一の結合部６０２と第二の結合部６０４の内の少なくとも一つを破壊することとなり、情報リング６００の再使用はできなくなる。
【００３９】
第一の結合部６０２は概して半円形の開口６２０を有し、第一の結合部６０２の結合器６１４は開口６２０のいずれかの側の結合端６０４に位置している。第二の結合部６０８もまた概して半円形の開口６２２を有し、第二の結合部６０８の結合器６１６もまた開口６２２のいずれかの側の結合端６１０に位置しており、第一の結合部６０２及び第二の結合部６０８のそれぞれの結合端６０４，６１０が結合されると、雄及び雌の結合器６１４，６１６が係合され、概して円形の開口が形成される。この開口はカテーテル延長管のような導管がその開口内に保持されるような大きさになっている。
【００４０】
第一の結合部６０２の自由端６０６は第一の結合部６０２から概して直交して延長する表示部６３０を有する。この表示部６３０は結合端６０４から遠位に配置された表示面６３２を有し、表示はその表示面６３２に印刷ざれている。第二の結合部６０８の自由端６１２もまた第二の結合部６０８から概して直交して延長する表示部６４０を有するかも知れない。この表示部６４０は結合端６１０から遠位に配置された表示面６４２を有し、表示はその表示面６４２に印刷ざれている。
【００４１】
それぞれの情報リング２１０、３１０、４１０、６００はＡＢＳ，ポリ塩化ビニル（ＰＶＣ）、ポリプロピレン、又は他の適切な物質のような剛性または半剛性のプラスチックで構成されていることが好ましいが、当業者は情報リング２１０、３１０、４１０、６００が他の物質からも作る事ができることに気づくであろう。情報リング２１０、３１０、４１０、６００を壊す可能性なく情報リング２１０、３１０、４１０、６００を操作できるように、情報リング２１０、３１０、４１０、６００を構成するために使われる物質は概して少なくとも少し柔軟性であることが好ましい。
【００４２】
当業者はその広い発明的概念から離れずに上述の実施例を変更することができることを評価するであろう。従って、この発明は開示された特定の実施例に制限されるものではなく、添付した請求項に定義される本発明の精神及び範囲内において変更を含むように意図されたものであることが理解される。
【図面の簡単な説明】
【図１】
図１は本発明の第一実施例における情報リングの透視図を示す。
【図２】
図２は図１に示す情報リングの反対側の透視図を示す。
【図３Ａ】
図３Ａは図１及び図２に示す情報リングがカテーテルアセンブリに結合されている状態を示す透視図である。
【図３Ｂ】
図３Ｂは図１及び図２に示す情報リングがカテーテルアセンブリに結合されている状態の反対側を示す透視図である。
【図４】
図４は本発明の第二実施例における情報リングの透視図を示す。
【図５】
図５は図４に示す情報リングの反対側の透視図を示す。
【図６】
図６は本発明の第三実施例における情報リングの透視図を示す。
【図７】
図７は図６に示す情報リングの反対側の透視図を示す。
【図８】
図８は本発明の第四実施例における情報リングの透視図を示す。
【図９】
図９は図８に示す情報リングの反対側の透視図を示す。
【図１０】
図１０は図４及び図５に示す情報リングを取り入れたカテーテルアセンブリの側面図を示す。
【図１１】
図１１は図１０のカテーテルアセンブリの断面図を示す。
【図１２】
図１２は本発明の第五実施例における情報リングの透視図を示す。図１２Ａは図１２に示す情報リング上の結合装置の拡大図を示す。
【図１３】
図１３は図１２に示す情報リングの反対側の透視図を示す。
【図１】
2005505354.tif 000003
【図２】
2005505354.tif 000004
【図３Ａ】
2005505354.tif 000005
【図３Ｂ】
2005505354.tif 000006
【図４】
2005505354.tif 000007
【図５】
2005505354.tif 000008
【図６】
2005505354.tif 000009
【図７】
2005505354.tif 000010
【図８】
2005505354.tif 000011
【図９】
2005505354.tif 000012
【図１０】
2005505354.tif 000013
【図１１】
2005505354.tif 000014
【図１２】
2005505354.tif 000015
【図１３】
2005505354.tif 000016
【国際公開パンフレット】
2005505354.tif 000017
2005505354.tif 000018
2005505354.tif 000019
2005505354.tif 000020
2005505354.tif 000021
2005505354.tif 000022
2005505354.tif 000023
2005505354.tif 000024
2005505354.tif 000025
2005505354.tif 000026
2005505354.tif 000027
2005505354.tif 000028
2005505354.tif 000029
2005505354.tif 000030
2005505354.tif 000031
2005505354.tif 000032
2005505354.tif 000033
2005505354.tif 000034
2005505354.tif 000035
2005505354.tif 000036
2005505354.tif 000037
2005505354.tif 000038
2005505354.tif 000039
2005505354.tif 000040
2005505354.tif 000041
2005505354.tif 000042
2005505354.tif 000043
2005505354.tif 000044
2005505354.tif 000045
2005505354.tif 000046
2005505354.tif 000047
2005505354.tif 000048
2005505354.tif 000049
2005505354.tif 000050
2005505354.tif 000051
2005505354.tif 000052
【国際公開パンフレット（コレクトバージョン）】
2005505354.tif 000053
【国際調査報告】
2005505354.tif 000054
2005505354.tif 000055